(57)【特許請求の範囲】
【請求項１】
遊技盤の前側に開閉自在に配置された開閉扉を備え、
該開閉扉は窓孔が形成された扉主体と、該扉主体に装着され且つ前記遊技盤の遊技領域を透視可能に前記窓孔を塞ぐ透明板ユニットとを備え、
前記透明板ユニットは前後２枚の透明板の外周部を保持部材に固定した弾球遊技機において、
前記扉主体は前記透明板ユニットの全周又は一部を取り囲む嵌合部を後側に備え、
前記透明板ユニットは前記嵌合部に後側から着脱自在に嵌合して前記扉主体を補強する
ことを特徴とする弾球遊技機。
【請求項２】
前記透明板ユニットは前記嵌合部に間隙を介して着脱自在に遊嵌されていることを特徴とする請求項１に記載の弾球遊技機。
【発明の詳細な説明】
【技術分野】
【０００１】
本発明は、パチンコ機、アレンジボール機等の弾球遊技機に関するものである。
【背景技術】
【０００２】
パチンコ機等の弾球遊技機では、遊技盤の前面にガラス扉を配置し、このガラス扉の窓孔からガラス板ユニットを介して遊技領域を透視できるようにしている。
【０００３】
遊技盤は前枠に着脱自在に装着され、ガラス扉は遊技盤の遊技領域に対応する窓孔が形成された扉主体と、この扉主体に装着されたガラス板ユニットとを備え、その扉主体が前枠にヒンジにより上下方向のヒンジ軸廻りに開閉自在に枢着されている。
【０００４】
ガラス扉の扉主体には、従来、一体形の扉枠を使用したものと、上下に二分割された分割形の扉枠を使用したものとがある。一体形の扉枠を使用した扉主体は、窓孔に対応する開口が形成された合成樹脂製の扉枠と、窓孔に対応する開口が形成され且つ扉枠を裏側から補強する板金製の補強板と、扉枠の前面に装着された化粧カバー等を備え、この扉主体の裏面にガラス扉ユニットが着脱自在に装着されている（特許文献１）。
【０００５】
また分割形の扉枠を使用した扉主体は、上下に二分割され且つ内周面に嵌合溝が形成された一対の分割体を備え、この各分割体の内周の嵌合溝に２枚のガラス板を嵌合させて両分割体をネジにより上下に締結して、上下一対の分割体によりガラス板を保持するようにしている（特許文献２）。
【先行技術文献】
【特許文献】
【０００６】
【特許文献１】特開２００８−１４８８５６号公報
【特許文献２】特開２００４−１０５５２２号公報
【発明の概要】
【発明が解決しようとする課題】
【０００７】
近似のパチンコ機では、大型の画像表示手段を使用する等により遊技盤の遊技領域が益々広くなり、これに伴って扉本体に形成される窓孔、扉本体の裏側に装着されるガラス板ユニットも大きくなる傾向にある。そして、扉主体の窓孔が大きくなれば、扉主体の窓孔の左右両側の側枠部及び下側の下枠部の幅が小さくなって強度が低下する上に、ガラス板ユニットの重量が増加するため、ガラス扉全体の剛性が著しく低下することになる。その結果、ガラス扉を開放したときに自由端側が大きく垂れ下がったり、ガラス扉の開閉時にその全体が前後方向に撓んだりして、ガラス扉の開閉が困難になる等の惧れがある。
【０００８】
そこで、特許文献１に記載のガラス扉では、扉枠に対応する形状の板金材の内外周縁に補強リブが形成された一体構造の補強板を使用し、この補強板を扉枠の裏側の略全面に装着している。しかし、このガラス扉は一体構造の補強板を使用しているため、補強板の製作に際して扉枠に対応する大きさの板金材を準備しなければならず、しかも板金材の内周に大きな開口を形成する必要があり、材料の無駄が多く歩留りが低下すると共に製作コストがアップする欠点がある。
【０００９】
また特許文献２に記載のガラス扉の場合には、上下一対の扉枠と２枚のガラス板によりガラス板ユニットを構成できるが、上下の扉枠をネジで締結して、その内周の嵌合溝に嵌合する前後２枚のガラス板を保持する構造であるため、ガラス扉全体の強度の確保の点では問題があり、例えばガラス扉の開閉時に上下の扉枠に対して屈曲方向の外力が加わったときには、両扉枠の締結部と２枚のガラス板とによりその外力に抗することとなり、各ガラス板が損傷する惧れがある。
【００１０】
本発明は、このような従来の問題点に鑑み、補強部材等の無駄を抑えつつ扉主体の強度を容易に確保できると共に製作コストを低減できる弾球遊技機を提供することを目的とする。
【課題を解決するための手段】
【００１１】
本発明は、遊技盤の前側に開閉自在に配置された開閉扉を備え、該開閉扉は窓孔が形成された扉主体と、該扉主体に装着され且つ前記遊技盤の遊技領域を透視可能に前記窓孔を塞ぐ透明板ユニットとを備え、前記透明板ユニットは前後２枚の透明板の外周部を保持部材に固定した弾球遊技機において、前記扉主体は前記透明板ユニットの全周又は一部を取り囲む嵌合部を後側に備え、前記透明板ユニットは前記嵌合部に後側から着脱自在に嵌合して前記扉主体を補強するものである。
前記透明板ユニットは前記嵌合部に間隙を介して着脱自在に遊嵌されていることもある。
【発明の効果】
【００１２】
本発明では、扉主体を補強する補強部材等の無駄を抑えつつ扉主体の強度を容易に確保でき、製作コストを低減できる利点がある。
【図面の簡単な説明】
【００１３】
【図１】本発明の第１の実施形態を示すパチンコ機の正面図である。
【図２】同ガラス扉の背面図である。
【図３】同ガラス扉の分解斜視図である。
【図４】同ガラス扉の縦断面図である。
【図５】同ガラス扉の横断面図である。
【図６】同ガラス扉の横断面図である。
【図７】同押圧手段の背面図である。
【図８】同押圧手段の断面図である。
【図９】同作用説明図である。
【図１０】本発明の第２の実施形態を示す要部の断面図である。
【図１１】本発明の第３の実施形態を示すガラス扉の背面図である。
【図１２】同ガラス扉の縦断面図である。
【図１３】本発明の第４の実施形態を示す要部の断面図である。
【図１４】本発明の第５の実施形態を示すガラス扉の縦断面図である。
【図１５】同横断面図である。
【図１６】本発明の第６の実施形態を示すガラス扉の背面図である。
【図１７】同要部の拡大背面図である。
【図１８】同要部の拡大斜視図である。
【図１９】本発明の第７の実施形態を示すガラス扉の斜視図である。
【図２０】同要部の断面図である。
【図２１】本発明の第８の実施形態を示すガラス扉の斜視図である。
【図２２】同背面図である。
【図２３】本発明の第９の実施形態を示すガラス扉の背面図である。
【図２４】同横断面図である。
【図２５】本発明の第１０の実施形態を示すガラス扉の背面図である。
【図２６】同横断面図である。
【図２７】同横断面図である。
【図２８】本発明の第１１の実施形態を示すガラス扉の背面図である。
【図２９】同横断面図である。
【図３０】同拡大背面図である。
【図３１】本発明の第１２の実施形態を示すガラス扉の要部の縦断面図である。
【発明を実施するための形態】
【００１４】
以下、本発明の各実施形態を図面に基づいて詳述する。図１〜図９は本発明をパチンコ機に採用した第１の実施形態を例示する。パチンコ機１は、図１に示すように、矩形状の外枠２と、この外枠２の前側に左右一端側のヒンジ３により上下方向のヒンジ軸廻りに開閉自在に枢着された前枠４とを備えている。
【００１５】
前枠４は矩形枠状であり、この前枠４の上部には遊技盤装着部５に遊技盤６が前側から着脱自在に装着され、その遊技盤６の前側にガラス扉（開閉扉）７が、ガラス扉７の下側に前面板８が夫々配置されている。
【００１６】
ガラス扉７、前面板８は、ヒンジ３と同じ一端側（基部側）がヒンジ９により前枠４に対して上下方向のヒンジ軸廻りに開閉自在に枢支され、他端側（自由端側）が閉状態で施錠手段１０（図６参照）により前枠４に施錠可能である。
【００１７】
前面板８の前側には、発射用の遊技球を貯留する球供給皿１２と、余剰球を貯留する球受け皿１３とが上下に配置され、その側方に遊技球を発射する発射手段（図示省略）の発射ハンドル１４が設けられている。発射手段は前面板８の裏側で前枠４の前面に装着されている。
【００１８】
遊技盤６の前面には、発射手段から発射された遊技球を案内するガイドレール１５が略円弧状に配置されると共に、そのガイドレール１５の内側の遊技領域１６に画像表示手段１７、普通図柄始動手段１８、特別図柄始動手段１９、可変入賞手段２０、普通入賞手段２１等の各種の遊技部品が配置されている。画像表示手段１７はその画像表示部１７ａに遊技画像２２ａ〜２２ｃ等を変動表示可能である。
【００１９】
ガラス扉７は、図２〜図６に示すように、遊技盤６の遊技領域１６に対応する窓孔２４を有する扉主体２５と、この扉主体２５に裏側から着脱自在に装着されたガラス板ユニット２６とを備え、窓孔２４内のガラス板ユニット２６を介して遊技領域１６を前面から透視するようになっている。
【００２０】
扉主体２５は図２、図３に示すように、窓孔２４に対応して設けられたガラス板ユニット２６用の嵌合部２７と、嵌合部２７内に裏側から嵌合されたガラス板ユニット２６を前側に押圧して扉主体２５に固定する押圧手段２８と、嵌合部２７内のガラス板ユニット２６に指を掛けるための指掛け部２９とを有し、その嵌合部２７に嵌合され押圧手段２８により固定されたガラス板ユニット２６により内周側から補強されている。
【００２１】
ガラス板ユニット２６は、図２、図４〜図６、図９に示すように、前後２枚のガラス板３１と、このガラス板３１の外周部を保持する保持部材３２とを備え、内部に密閉空間３３ができるようにガラス板３１と保持部材３２とが接着等で固定されている。保持部材３２は２枚のガラス板３１間の間隔を保持する間隔保持部３４と、この間隔保持部３４の前後両側で各ガラス板３１の外周を取り囲む周壁部３５とを一体に有する。保持部材３２の前側の周壁部３５は前側のガラス板３１の前面よりも若干突出しており、その前端縁の全周が当接部３６となっている。
【００２２】
このガラス板ユニット２６は左右一対の上下方向の側縁３７ａ，３７ｂと、この側縁３７ａ，３７ｂの上端に円弧縁を介して連続する左右方向の下縁３７ｃと、側縁３７ａ，３７ｂの下端に連続する上向き略台形状の上縁３７ｄとを有し、窓孔２４の形状が異なる複数種類のガラス扉７に共通に使用できるように、扉主体２５に形成可能な最大の窓孔２４よりも大きく構成されている。
【００２３】
扉主体２５は、図２〜図６に示すように、外周形状が前枠４の前面板８よりも上側の部分に対応する矩形状であって、左右一対の上下方向の側辺部分３８ａ，３８ｂと、この側辺部分３８ａ，３８ｂの下端間を左右方向に連結する下辺部分３８ｃと、側辺部分３８ａ，３８ｂの上端間を左右方向に連結する上辺部分３８ｄとを有し、その内側が窓孔２４となっている。
【００２４】
扉主体２５はその側辺部分３８ａ，３８ｂ、下辺部分３８ｃ、上辺部分３８ｄに対応する側枠部３９ａ，３９ｂ、下枠部３９ｃ及び上枠部３９ｄが一体に形成された合成樹脂製の扉枠４０と、この扉枠４０の前面に装着された化粧カバー４１と、扉枠４０の側枠部３９ａ，３９ｂ側及び下枠部３９ｃ側の裏面に固定された側部補強部材４２ａ，４２ｂ及び下部補強部材４２ｃとを有し、ヒンジ９を介して前枠４に枢着されている。
【００２５】
なお、扉枠４０の上枠部３９ｄの左右両側にスピーカユニット４３が、またスピーカユニット４３の周辺を含む周方向の略全周又は周方向の複数箇所に発光表示手段（図示省略）が夫々組み込まれている。
【００２６】
扉枠４０の内側は、図２、図３に示すように窓孔２４に対応する嵌合部２７となっている。嵌合部２７は窓孔２４に対応して扉枠４０に一体に設けられ且つガラス板ユニット２６の外周を取り囲む嵌合枠４４により構成されている。
【００２７】
嵌合枠４４は図２〜図６に示すように、扉枠４０の側枠部３９ａ，３９ｂ、下枠部３９ｃ及び上枠部３９ｄの内周近傍から後方に突出する側嵌合壁４５ａ，４５ｂ、下嵌合壁４５ｃ及び上嵌合壁４５ｄを有し、その嵌合壁４５ａ〜４５ｄの前端から内周側に突出する扉枠４０の突出部分が受け縁４６となっている。そして、各嵌合壁４５ａ〜４５ｄの内周側にガラス板ユニット２６が裏側から着脱自在に嵌合され、その当接部３６が受け縁４６に当接している。なお、受け縁４６の内周は、窓孔２４よりも若干大きい開口となっている。
【００２８】
嵌合枠４４の下嵌合壁４５ｃを除く各嵌合壁４５ａ，４５ｂ，４５ｄの内面には、図２〜図６に示すように、ガラス板ユニット２６の保持部材３２の外周面が当接する突部４７が設けられている。突部４７は各嵌合壁４５ａ，４５ｂ，４５ｄの長手方向に所定の間隔をおいて１個又は複数個配置されており、ガラス板ユニット２６の嵌脱方向に沿って前後方向に設けられている。各突部４７は図９に示すように後端部側の内面が傾斜状の案内部４８ａとなり、案内部４８ａよりも前側部分が略平行な支持部４８ｂとなっている。
【００２９】
案内部４８ａは嵌合枠４４に対してガラス板ユニット２６を裏側から嵌合するときに、保持部材３２と接触してガラス板ユニット２６を嵌合方向に案内するためのものである。支持部４８ｂは保持部材３２の外周に当接して嵌合枠４４内のガラス板ユニット２６を支持するためのものである。
【００３０】
従って、ガラス板ユニット２６は、嵌合枠４４内に嵌合したときには、保持部材３２が突部４７の支持部４８ｂを介して各嵌合壁４５ａ〜４５ｄを押圧して、扉主体２５を内周側から補強するようになっている。なお、各嵌合壁４５ａ〜４５ｄの外面には、嵌合枠４４内にガラス板ユニット２６を嵌合したときの嵌合壁４５ａ〜４５ｄの外側への倒れを防止するように補強リブ４９が所定間隔を置いて複数個設けられている。
【００３１】
化粧カバー４１は周方向に複数個に分割されており、その個々の化粧カバー４１は内部のスピーカユニット４３、発光表示手段等を覆い、また内周側には扉枠４０の内周縁近傍に嵌合して窓孔２４を形成する内周壁４１ａを有する。
【００３２】
扉主体２５にはヒンジ９と反対側の側枠部３９ａ，３９ｂの下部に施錠操作手段５０が設けられ、この施錠操作手段５０にキーを挿入して回動操作したときに、施錠手段１０がガラス扉７の施錠を解除するようになっている。
【００３３】
なお、扉主体２５の上枠部３９ｄは他の側枠部３９ａ，３９ｂ、下枠部３９ｃよりも上下幅が大である上に、スピーカユニット４３、発光表示手段等が装着され、更に裏面にはそれらを覆う裏カバー５１が装着されている。このため扉主体２５の上枠部３９ｄは十分な強度があり、その裏面には補強部材４２ａ〜４２ｃに相当する補強部材は設けられていない。
【００３４】
扉枠４０の側枠部３９ａ，３９ｂ、下枠部３９ｃ及び上枠部３９ｄには、図２、図４〜図６に示すように、その外周側端縁に沿って前後両側又は片側へと屈曲する補強縁５２ａ〜５２ｄが上下方向、左右方向の略全長に跨がって一体に形成されており、また側枠部３９ａ，３９ｂ及び下枠部３９ｃの裏側にはその補強縁５２ａ〜５２ｃに近接して補強部材４２ａ〜４２ｃが固定されている。
【００３５】
施錠操作手段５０側の側部補強部材４２ｂには、図２、図３に示すように、施錠操作手段５０を避けて内側へと迂回する迂回部５３ｂを有し、この迂回部５３ｂに対応して形成された切り欠き部５４ｂ内に施錠操作手段５０が配置されている。また側部補強部材４２ｂにはガラス扉７を閉じたときに施錠手段１０の掛け具５５が係脱自在に係合するための受け具５６が内側へと屈曲して一体に設けられている。
【００３６】
押圧手段２８は、図７、図８に示すように、ガラス板ユニット２６の保持部材３２から外側に突出する突出部５７と、この突出部５７を裏側から扉枠４０側へと押圧する押圧部材５８と、この押圧部材５８を扉枠４０の裏側で固定位置Ｙと解除位置Ｘとの間で押圧・解除自在に枢支する支軸５９とを備え、ガラス板ユニット２６の上部側の左右両側に設けられている。押圧部材５８は摘まみ部５８ａを有し、また図外の保持手段により固定位置Ｙと解除位置Ｘとに位置決め可能になっている。突出部５７は上嵌合壁４５ｄの切り欠き部６０を経て扉枠４０の裏側に突出している。
【００３７】
指掛け部２９は図２〜図４に示すように嵌合枠４４部の周方向の一部、例えば上嵌合壁４５ｄから上枠部３９ｄに跨がって開口状に切り欠き形成されており、嵌合枠４４内のガラス板ユニット２６を取り外すときに、この指掛け部２９を経て扉枠４０の裏側から指を挿入して、ガラス板ユニット２６に指を掛けるようになっている。上枠部３９ｄの裏面には指掛け部２９の外周に沿って後方に突出し且つ左右の上嵌合壁４５ｄを連結する補強壁２９ａが一体に形成されている。また上枠部３９ｄの前面には指掛け部２９に指を挿入したときに、化粧カバー４１内の発光手段、その他の内部機構と接触しないように前カバー２９ｂが一体又は別体に設けられている。
【００３８】
このような構成のガラス扉７では、次のような利点がある。このガラス扉７では、扉主体２５の嵌合部２７内にガラス板ユニット２６を嵌合して押圧手段２８で固定されており、このガラス板ユニット２６により扉主体２５が内周側から補強されている。即ち、ガラス板ユニット２６が嵌合枠４４内に嵌合した状態では、保持部材３２が突部４７等を介して各嵌合壁４５ａ〜４５ｄの内周に直接的又は間接的に押圧するため、扉枠４０の変形が
ガラス板ユニット２６により拘束されることになり、このガラス板ユニット２６により扉枠４０を含む扉主体２５を内周側から補強することができる。
【００３９】
また扉主体２５の扉枠４０が窓孔２４の外周で周方向に一体である上に、扉枠４０が周方向に連続する嵌合壁４５ａ〜４５ｄにより構成された嵌合枠４４を有し、その各嵌合壁４５ａ〜４５ｄが扉主体２５の各枠部３９ａ〜３９ｄの内周側近傍から後方に突出する構造であるため、扉枠４０自体の強度も向上する。
【００４０】
従って、扉枠４０の側枠部３９ａ，３９ｂ、下枠部３９ｃの裏面に側部補強部材４２ａ，４２ｂ、下部補強部材４２ｃ等を設けて、これらの補強部材４２ａ〜４２ｃにより扉枠４０を補強するようにしているが、各補強部材４２ａ〜４２ｃに薄手又は幅の狭い帯板状の板金材を使用する等、補強部材４２ａ〜４２ｃの無駄を極力抑えつつも扉主体２５の強度を容易に確保することができる。
【００４１】
特にガラス板ユニット２６は所定の間隔を置いて前後に配置された二枚のガラス板３１をその外周の保持部材３２により保持したものであって、ガラス板ユニット２６全体として所定の強度を有する構造となっており、このガラス板ユニット２６を一体形の扉枠４０の内周側の嵌合枠４４内に嵌合し固定しているので、ガラス板ユニット２６により効果的に扉主体２５を補強できる上に、ガラス扉７の開閉時等に加わる外力等によるガラス板３１の損傷等も確実に防止することができる。
【００４２】
ガラス板ユニット２６を嵌合枠４４内に嵌め込むときには、図９に示すように下縁３７ｃを下嵌合壁４５ｃ上に載せて、その下縁３７ｃ側を支点として上側を嵌合枠４４内に押し込めば、その保持部材３２が案内部４８ａにより案内されるので、ガラス板ユニット２６を嵌合枠４４内に容易に嵌合することができる。
【００４３】
従って、ガラス板ユニット２６を一種の圧入状態で嵌合枠４４内に嵌合できるため、嵌合枠４４内でのガラス板ユニット２６のガタツキ等を確実に防止できると共に、扉主体２５に対する補強効果がより向上する利点がある。また案内部４８ａを突部４７に設けているため、ガラス板ユニット２６が嵌合枠４４に嵌合するときの摩擦抵抗を小さくすることができる。
【００４４】
ガラス板ユニット２６を嵌合枠４４内に嵌合した後は、押圧手段２８によりガラス板ユニット２６を扉枠４０側に締結して固定する。これによってガラス板ユニット２６の扉主体２５からの不測の脱落等を防止することができる。押圧手段２８によりガラス板ユニット２６を締結する際には、押圧部材５８の摘まみ部５８ａを操作して解除位置Ｘにある押圧部材５８を支軸５９廻りに突出部５７側に廻せば、その押圧部材５８が突出部５７の裏側に乗り上げて扉枠４０側へと押圧するので、ガラス板ユニット２６を扉主体２５に対して容易に固定することができる。
【００４５】
ガラス板ユニット２６を取り外すときには、押圧手段２８による固定を解除した後、指掛け部２９から指を挿入してガラス板ユニット２６の上縁３７ｄ側に指を掛けて、ガラス板ユニット２６の上部を裏側へと引っ張る。これによりガラス板ユニット２６が下嵌合壁４５ｃを支点として後方に回動するので、嵌合枠４４内に圧入状に嵌合しているにも拘わらずガラス板ユニット２６を容易に取り外すことができる。
【００４６】
図１０は本発明の第２の実施形態を例示する。この実施形態では、ガラス板ユニット２６の保持部材３２の前側外周に傾斜状の案内部３２ａが形成されている。このようにガラス板ユニット２６側に案内部３２ａを設け、この案内部３２ａの案内作用によりガラス板ユニット２６が嵌合枠４４内に嵌合するようにしてもよい。勿論、嵌合枠４４とガラス板ユニット２６との両方に案内部４８ａ，３２ａを設けてもよい。従って、案内部４８ａ，３２ａは嵌合枠４４とガラス板ユニット２６との少なくとも一方にあればよい。
【００４７】
図１１、図１２は本発明の第３の実施形態を例示する。この実施形態では、嵌合枠４４の各嵌合壁４５ａ〜４５ｄの内面に、案内部４８ａ、支持部４８ｂを有する突部４７が設けられている。突部４７はガラス板ユニット２６の嵌脱方向に沿って前後方向に設けられており、その後部側内面が傾斜状の案内部４８ａであり、案内部４８ａよりも前側部分は略平行な支持部４８ｂとなっている。
【００４８】
なお、各突部４７は左右、上下に相対向させて同数配置してもよいし、相対向する一方を多くして他方を少なくしてもよい。例えば上嵌合壁４５ｄの突部４７を指掛け部２９の左右に１個の合計２個とし、下嵌合壁４５ｃの突部４７を左右方向の略中央部に１個設けてもよい。
【００４９】
この場合には各嵌合壁４５ａ〜４５ｄの内側に案内部４８ａを有する突部４７があるので、その案内部４８ａに沿ってガラス板ユニット２６を嵌合枠４４内に嵌め込めばよく、ガラス板ユニット２６を扉枠４０に対して略平行に保ちながら嵌め込むことができる。また嵌合状態のガラス板ユニット２６は、各突部４７の略平行な支持部４８ｂにより確実に支持できる。
【００５０】
図１３は本発明の第４の実施形態を例示する。図１３（ａ）では案内部４８ａ及び支持部４８ｂを有する突部４７を高くして、この各突部４７により各嵌合壁４５ａ〜４５ｄを内側から補強するようになっている。このように突出高さが大の突部４７を各嵌合壁４５ａ〜４５ｄの内側に設けることにより、嵌合壁４５ａ〜４５ｄの外側の補強リブ４９を省くことができる。
【００５１】
また図１３（ｂ）では枠部３９ａ〜３９ｄの裏側で嵌合壁４５ｃと補強縁５２ｃとを連結する補強リブ４９が一体に設けられている。他の嵌合壁４５ａ，４５ｂ，４５ｄ等にも同様に補強リブ４９が設けられている。このようにすれば、ガラス板ユニット２６による内周側からの補強に加えて扉枠４０自体の剛性が向上するため、他の構造次第では板金製の補強部材４２ａ〜４２ｃの一部又は全部を省略することも可能である。
【００５２】
図１４、図１５は本発明の第５の実施形態を例示する。この実施形態では、各嵌合壁４５ａ〜４５ｄの前後方向の略中央等の中間外周に扉枠４０の各枠部３９ａ〜３９ｄが一体に形成されており、各嵌合壁４５ａ〜４５ｄと枠部３９ａ〜３９ｄとが略Ｔ字状をなす構造となっている。また各嵌合壁４５ａ〜４５ｄの前端には、内側に突出する受け縁４６が設けられている。
【００５３】
この場合には、扉枠４０は嵌合壁４５ａ〜４５ｄと枠部３９ａ〜３９ｄとが略Ｔ字状であるため、嵌合枠４４内にガラス板ユニット２６を圧入状に押し込んでも各嵌合壁４５ａ〜４５ｄの外側への倒れ等を防止できる。このためガラス板ユニット２６により扉枠４０を内周側から確実に補強することができる。また嵌合壁４５ａ〜４５ｄと枠部３９ａ〜３９ｄと補強縁５２ａ〜５２ｄとが略Ｈ状となり、その各嵌合壁４５ａ〜４５ｄの前端に内側に屈曲する受け縁４６があるため、扉枠４０自体の強度も向上することになり、枠部３９ａ〜３９ｄを補強する板金製の補強部材等を省略することも可能である。
【００５４】
なお、施錠操作手段５０側には、受け具５６を設ける関係から補強部材４２ｂを設けることが望ましい。また必要に応じて各嵌合壁４５ａ〜４５ｄと補強縁５２ａ〜５２ｄとを一体に連結する補強リブ４９を枠部３９ａ〜３９ｄの前後両側又は片側に設けることにより、扉枠４０自体の剛性を更に向上させることができる。
【００５５】
図１６〜図１８は本発明の第６の実施形態を例示する。この実施形態では、ガラス板ユニット２６の保持部材３２の外周に前後方向の突部４７が周方向に複数個設けられ、ガラス板ユニット２６を嵌合枠４４内に嵌合したときに、この各突部４７が嵌合壁４５ａ〜４５ｄの内側に当接するようになっている。突部４７は各嵌合壁４５ａ〜４５ｄに対応して１個又は複数個あり、ガラス板ユニット２６の嵌脱方向に沿って前後方向に設けられている。なお、この突部４７の前端側には傾斜状の案内部４８ａが設けられている。
【００５６】
このようにガラス板ユニット２６の保持部材３２の外周に突部４７を設けて、ガラス板ユニット２６を嵌合枠４４内に嵌合したときに、この突部４７を介してガラス板ユニット２６が嵌合壁４５ａ〜４５ｄの内面に当接するようにしてもよい。従って、嵌合枠４４内に嵌合したガラス板ユニット２６を周方向に複数個の突部４７を介して嵌合枠４４により支持する場合、その突部４７は嵌合枠４４の内周に設けてもよいし、ガラス板ユニット２６の外周に設けてもよい。勿論、両方に設けてもよい。
【００５７】
図１９、図２０は本発明の第７の実施形態を例示する。この実施形態の嵌合枠４４は、扉枠４０の裏側に突出して設けられており、その嵌合枠４４は各側枠部３９ａ，３９ｂから突出する左右一対の嵌合突部６１ａ，６１ｂと、下枠部３９ｃ及び上枠部３９ｄから突出する１個又は複数個の嵌合突部６１ｃ，６１ｄとにより構成されている。
【００５８】
なお、この実施形態では、左右一対の嵌合突部６１ａ，６１ｂが上下方向に長くなり、上下の嵌合突部６１ｃ，６１ｄが左右方向に短くなっているが、その長さは逆でもよいし、略同じでもよい。また押圧手段２８はガラス板ユニット２６の各隅部に対応する等、必要箇所に複数個設けられている。
【００５９】
この場合には周方向に複数個の嵌合突部６１ａ〜６１ｄにより嵌合枠４４が構成されており、その嵌合枠４４内にガラス板ユニット２６が嵌合することにより、ガラス板ユニット２６によって扉枠４０を補強することができる。従って、嵌合枠４４はガラス板ユニット２６が嵌合できる構造であれば、必ずしもガラス板ユニット２６の全周を取り囲むように構成する必要はない。
【００６０】
図２１、図２２は本発明の第８の実施形態を例示する。この実施形態の嵌合枠４４は、扉枠４０の各側枠部３９ａ，３９ｂから後方に突出する左右一対の嵌合突部６１ａ，６１ｂにより構成され、この一対の嵌合突部６１ａ，６１ｂ間に嵌合するガラス板ユニット２６の保持部材３２には、嵌合突部６１ａ，６１ｂ間に嵌合したときに、各嵌合突部６１ａ，６１ｂに係合する係合凹部６２ａ，６２ｂが左右両側に形成されている。なお、係合凹部６２ａ，６２ｂには嵌合突部６１ａ，６１ｂが当接又は押圧状に係合することが望ましい。また押圧手段２８はガラス板ユニット２６の各隅部に対応する等、必要箇所に複数個設けられている。
【００６１】
このように一対の嵌合突部６１ａ，６１ｂがガラス板ユニット２６の係合凹部６２ａ，６２ｂに係合した後、ガラス板ユニット２６を押圧手段２８により扉枠４０側に押圧して固定する場合でも、係合凹部６２ａ，６２ｂに係合する嵌合突部６１ａ，６１ｂを介してガラス板ユニット２６により扉枠４０を補強することができる。
【００６２】
図２３、図２４は本発明の第９の実施形態を例示する。この実施形態では、ガラス板ユニット２６は微少間隙等の所定の間隙を置いて嵌合枠４４内に嵌合され、外周の複数個の締結手段６３により扉枠４０に固定されている。ガラス板ユニット２６の保持部材３２の当接部３６は、嵌合壁４５ａ〜４５ｄの前端の受け縁４６に当接している。締結手段６３は保持部材３２の外周の突出部５７をネジ６４により扉枠４０の取り付け部６５に締結して着脱自在に固定するようになっている。なお、締結手段６３に代えて他の固定手段を用いてもよい。
【００６３】
このように嵌合枠４４内に嵌合した後のガラス板ユニット２６を締結手段６３により扉枠４０に固定する場合には、嵌合枠４４の内面とガラス板ユニット２６の外面との間に微少間隙があっても、そのガラス板ユニット２６により扉枠４０を内側から補強することが可能である。従って、扉枠４０とガラス板ユニット２６とを固定できる場合には、嵌合枠４４とガラス板ユニット２６との間の間隙の有無は問題ではない。
【００６４】
図２５〜図２７は本発明の第１０の実施形態を例示する。この実施形態では、扉枠４０の嵌合枠４４にガラス板ユニット２６が裏側から着脱自在にテーパー嵌合され、且つガラス板ユニット２６が締結手段６３又は押圧手段２８により扉枠４０に固定されている。嵌合枠４４の内周には裏側が拡がるテーパー面６６が形成され、保持部材３２の外周にはそのテーパー面６６と対応するテーパー面６７が形成されている。なお、ガラス板ユニット２６を固定する固定手段として、図２６では締結手段６３が、図２７では押圧手段２８が夫々用いられている。
【００６５】
この場合には、ガラス板ユニット２６は扉枠４０の嵌合枠４４に裏側からテーパー嵌合した状態で押圧手段２８により扉枠４０に固定されているので、嵌合枠４４に対して緊密な嵌合関係を維持することができる。またテーパー嵌合であるため、ガラス板ユニット２６を嵌合枠４４に対して容易に嵌合することができる。
【００６６】
図２８〜図３０は本発明の第１１の実施形態を例示する。この実施形態では、固定手段としてコッター６９を使用し、このコッター６９により嵌合枠４４内のガラス板ユニット２６を固定するようにしたものである。
【００６７】
ガラス板ユニット２６は嵌合枠４４内に着脱自在に遊嵌されている。嵌合枠４４とガラス板ユニット２６との間には嵌合枠４４側にコッター挿入部７０が設けられ、このコッター挿入部７０に挿入されたコッター６９によりガラス板ユニット２６が固定されている。例えば、コッター挿入部７０は嵌合壁４５ａ〜４５ｄに上下方向に複数個設けられ、そのコッター挿入部７０に挿入されたコッター６９により、ガラス板ユニット２６が他方の嵌合壁４５ｂ側に押圧されて固定されている。
【００６８】
この場合には、嵌合枠４４内にガラス板ユニット２６を嵌合した後、そのガラス板ユニット２６を下嵌合壁４５ｃに当接させた状態でコッター挿入部７０にコッター６９を挿入する。するとコッター６９によりガラス板ユニット２６が嵌合壁４５ｂ側に押圧されるので、嵌合枠４４内のガラス板ユニット２６を固定できる。
【００６９】
従って、ガラス板ユニット２６と嵌合壁４５ａとの間に多少の隙間ができるが、嵌合枠４４内でガラス板ユニット２６を固定することによって、このガラス板３１により扉枠４０を内側から補強することができる。
【００７０】
またガラス板ユニット２６を嵌合枠４４内に遊嵌することができるので、嵌合枠４４に対するガラス板ユニット２６の嵌合も容易に行うことができる。更にコッター挿入部７０にコッター６９を挿入すれば、嵌合枠４４内でガラス板ユニット２６を固定できるので、その固定時の作業も容易に行うことができる。
【００７１】
なお、この実施形態では、コッター６９によりガラス板ユニット２６を左右方向の一方に押圧するようにしているが、上下方向の一方、例えば下方に押圧するようにしてもよいし、左右方向と上下方向との二方向に押圧するようにしてもよい。二方向に押圧する場合、左右方向の押圧用と上下方向の押圧用とのコッター６９を別々に設けることが望ましい。また外周の四辺にコッター６９を配置して、嵌合枠４４内のガラス板３１をその中心側に向けて押圧するようにしてもよい。
【００７２】
図３１は本発明の第１２の実施形態を例示する。この実施形態では、ガラス板ユニット２６と嵌合枠４４との間に係合手段７３を設け、ガラス板ユニット２６を嵌合枠４４内に嵌合する際に、係合手段７３を介してガラス板ユニット２６を嵌合枠４４に係合させて、その係合手段７３を支点としてガラス板ユニット２６を嵌合枠４４内に嵌合させるようになっている。
【００７３】
係合手段７３は例えば嵌合枠４４の下嵌合壁４５ｃに形成された係合凹部７４ａと、ガラス板ユニット２６の下側から突出する係合突部７４ｂとからなり、ガラス板ユニット２６の下部を嵌合枠４４内に挿入してその係合突部７４ｂを嵌合枠４４の係合凹部７４ａに係合するようになっている。なお、係合手段７３は係合突部７４ｂを嵌合枠４４に、係合凹部７４ａをガラス板ユニット２６の保持部材に設けてもよい。他の構成は第１の実施形態と同様である。
【００７４】
このようにすれば、係合手段７３を支点としてガラス板ユニット２６を嵌合枠４４内に嵌合できるので、嵌合枠４４内にガラス板ユニット２６を容易に嵌め込むことができる。また嵌合後のガラス板ユニット２６は係合手段７３と反対側（例えば上部側）の押圧手段２８等で止めることにより容易に固定できる。更に押圧手段２８等の固定手段は係合手段７３の反対側に設ける等、係合手段７３から離れた位置に配置することによりその数も少なくできるので、全体の構造を簡素化することも可能である。
【００７５】
以上、本発明の各実施形態について詳述したが、本発明はこの各実施形態に限定されるものではなく、本発明の趣旨を逸脱しない範囲で種々の変更が可能である。例えば、実施形態では、透明板にガラス板３１を用いた場合を例示し、透明板ユニットをガラス板ユニット２６とし、開閉扉をガラス扉７としているが、透明板にはガラス板３１以外のもの、例えば透明な合成樹脂板を使用してもよい。
【００７６】
また実施形態では、扉主体２５の扉枠４０に、ガラス板ユニット２６が裏側から着脱自在に嵌合する嵌合部２７、即ち嵌合枠４４を設けているが、嵌合部２７又は嵌合枠４４に対してガラス板ユニット２６が前側から着脱自在に嵌合する構造でもよい。指掛け部２９は扉主体２５に設ける他、保持部材３２に設ける等、ガラス板ユニット２６側に設けてもよい。
【００７７】
各実施形態では嵌合部２７又は嵌合枠４４内のガラス板ユニット２６を押圧手段２８、締結手段６３、コッター６９等の固定手段により固定するようにしているが、ガラス板ユニット２６を嵌合枠４４内に圧入する等、ガラス板ユニット２６を嵌合枠４４内に嵌合することにより固定できる場合には、別に固定手段を設ける必要はない。
【００７８】
突部４７を省略して、案内部４８ａ、支持部４８ｂを嵌合壁４５ａ〜４５ｄの内面に直接設けてもよい。また実施形態ではパチンコ機１について例示しているが、アレンジボール機、その他の各種の弾球遊技機においても同様に実施することが可能である。
【符号の説明】
【００７９】
６  遊技盤
７  ガラス扉（開閉扉）
１６  遊技領域
２４  窓孔
２５  扉主体
２６  ガラス板ユニット（透明板ユニット）
２７  嵌合部
２８  押圧手段（固定手段）
２９  指掛け部
４０  扉枠
４４  嵌合枠
４５ａ〜４５ｄ  嵌合壁
４８ａ  案内部
６３  締結手段（固定手段）
６９  コッター（固定手段）
【図１】
0005536820.tif 000002
【図２】
0005536820.tif 000003
【図３】
0005536820.tif 000004
【図４】
0005536820.tif 000005
【図５】
0005536820.tif 000006
【図６】
0005536820.tif 000007
【図７】
0005536820.tif 000008
【図８】
0005536820.tif 000009
【図９】
0005536820.tif 000010
【図１０】
0005536820.tif 000011
【図１１】
0005536820.tif 000012
【図１２】
0005536820.tif 000013
【図１３】
0005536820.tif 000014
【図１４】
0005536820.tif 000015
【図１５】
0005536820.tif 000016
【図１６】
0005536820.tif 000017
【図１７】
0005536820.tif 000018
【図１８】
0005536820.tif 000019
【図１９】
0005536820.tif 000020
【図２０】
0005536820.tif 000021
【図２１】
0005536820.tif 000022
【図２２】
0005536820.tif 000023
【図２３】
0005536820.tif 000024
【図２４】
0005536820.tif 000025
【図２５】
0005536820.tif 000026
【図２６】
0005536820.tif 000027
【図２７】
0005536820.tif 000028
【図２８】
0005536820.tif 000029
【図２９】
0005536820.tif 000030
【図３０】
0005536820.tif 000031
【図３１】
0005536820.tif 000032